(57)【要約】  電力変換装置（５）は、スイッチング素子（Ｓ１、Ｓ２）とリアクトル（１）と、それぞれ複数のコンデンサ素子（２０ａ、２０ｂ）が並列接続されたコンデンサ（Ｃ１、Ｃ２）とを有する。そして、スイッチング素子（Ｓ１、Ｓ２）のスイッチング制御に用いるキャリア周波数（ｆｓｗ）は、コンデンサ（Ｃ１、Ｃ２）の全てのコンデンサ素子の直列共振周波数未満であって、高圧側コンデンサ（Ｃ２）の並列共振周波数（ｆｐ）の１／５より低く、かつ、該周波数（ｆｓｗ）の整数倍が並列共振周波数（ｆｐ）に一致しないものに設定される。
2017018038.tif 000002
【特許請求の範囲】
【請求項１】
導通、遮断が行われる複数の半導体素子と、リアクトルと、それぞれ複数のコンデンサ素子が並列接続された複数のコンデンサとを有するＤＣ／ＤＣコンバータと、
上記ＤＣ／ＤＣコンバータを制御する制御回路とを備え、
上記複数の半導体素子の少なくとも一部は、スイッチング素子であり、
上記制御回路は、設定周波数で上記スイッチング素子を駆動制御し、
上記設定周波数は、
上記複数のコンデンサの全ての上記複数のコンデンサ素子の直列共振周波数未満であって、上記複数のコンデンサの１つである第１コンデンサにおける上記複数のコンデンサ素子の並列共振周波数ｆｐを上記第１コンデンサに流れる高調波電流に基づいて決定される次数Ｎで除した値（ｆｐ／Ｎ）より低く、かつ、該設定周波数の整数倍が上記並列共振周波数ｆｐに一致しない、
電力変換装置。
【請求項２】
上記第１コンデンサは、上記複数のコンデンサの中で流れる電流が最多であり、上記第１コンデンサに流れる電流の累積率が、基本波電流および上記次数Ｎまでの高調波電流で飽和状態となる、
請求項１に記載の電力変換装置。
【請求項３】
上記ＤＣ／ＤＣコンバータは、
上記複数のコンデンサとして低圧側コンデンサと、上記第１コンデンサとしての高圧側コンデンサとを備え、
さらに、上記複数の半導体素子として、第１端が上記低圧側コンデンサの負極に、第２端が上記リアクトルを介して上記低圧側コンデンサの正極に接続される第１半導体素子と、第１端が上記第１半導体素子の上記第２端に接続され、第２端が上記高圧側コンデンサの正極に接続される第２半導体素子とを備え、
上記第１、第２半導体素子の少なくとも上記第１半導体素子は上記スイッチング素子であり、
上記設定周波数の整数倍が上記並列共振周波数ｆｐに一致しない、
請求項１または請求項２に記載の電力変換装置。
【請求項４】
上記ＤＣ／ＤＣコンバータは、
上記複数のコンデンサとして低圧側コンデンサと、高圧側コンデンサと、上記第１コンデンサとしての充放電コンデンサを備え、
さらに、上記複数の半導体素子として、第１端が上記低圧側コンデンサの負極に接続される第１半導体素子と、第１端が上記第１半導体素子の第２端に接続され、第２端が上記リアクトルを介して上記低圧側コンデンサの正極に接続される第２半導体素子と、第１端が上記第２半導体素子の第２端に接続される第３半導体素子と、第１端が上記第３半導体素子の第２端に接続され、第２端が上記高圧側コンデンサの正極に接続される第４半導体素子とを備え、
上記第１から第４半導体素子の少なくとも上記第１、第２半導体素子は上記スイッチング素子であり、
上記充放電コンデンサは、上記第１、第２半導体素子の接続点と上記第３、第４半導体素子の接続点との間に接続され、
上記設定周波数の奇数倍が上記並列共振周波数ｆｐに一致しない、
請求項１または請求項２に記載の電力変換装置。
【請求項５】
決定される上記次数Ｎは５で、上記設定周波数は、上記並列共振周波数ｆｐの（１／５）より低い、
請求項１から請求項４のいずれか１項に記載の電力変換装置。
【請求項６】
上記第１コンデンサの温度を検出する温度検出部を備え、
上記制御回路は、上記第１コンデンサの温度が設定された閾値以上になると、上記設定周波数よりも低い周波数に切り替えて上記スイッチング素子を駆動制御する、
請求項１から請求項５のいずれか１項に記載の電力変換装置。
【請求項７】
上記第１コンデンサの温度を検出する第１温度検出部と、上記スイッチング素子の温度を検出する第２温度検出部とを備え、
上記制御回路は、
上記設定周波数として第１周波数と該第１周波数より高い第２周波数とを有し、
上記第１コンデンサの温度が設定された第１閾値以上、あるいは、上記スイッチング素子の温度が設定された第２閾値以上のとき、上記第１周波数を用いて上記スイッチング素子を駆動制御し、
上記第１コンデンサの温度が上記第１閾値未満、かつ、上記スイッチング素子の温度が上記第２閾値未満になると、上記第２周波数に切り替えて上記スイッチング素子を駆動制御する、
請求項１から請求項５のいずれか１項に記載の電力変換装置。
【請求項８】
上記第２周波数は、上記リアクトルを流れる電流のリプル成分を小さくするように設定される、
請求項７に記載の電力変換装置。
【請求項９】
上記複数の半導体素子は、シリコンに比べバンドギャップが大きいワイドバンドギャップ半導体材料から成る、
請求項１から請求項８のいずれか１項に記載の電力変換装置。
【発明の詳細な説明】
【技術分野】
【０００１】
この発明は、半導体スイッチング素子のスイッチング制御により直流／直流間で電力変換する電力変換装置に関するものである。
【背景技術】
【０００２】
ＥＶ（Ｅｌｅｃｔｒｉｃ  Ｖｅｈｉｃｌｅ）やＨＥＶ（Ｈｙｂｒｉｄ  Ｅｌｅｃｔｒｉｃ  Ｖｅｈｉｃｌｅ）といった電動車両には、例えば高圧バッテリ、双方向コンバータ、平滑コンデンサ、インバータを備えた電力変換装置が用いられる。力行運転時には高圧バッテリの電力を双方向コンバータで昇圧して直流電力をインバータに供給しインバータで変換された交流電力がモータに供給される。また、回生運転時にはモータを発電機として動作させインバータで変換された直流電力を双方向コンバータで降圧して直流電力を高圧バッテリに充電する。上記双方向コンバータに適用可能な電力変換装置として様々な方式が開示されている。【０００３】
従来の電力変換装置としてのチョッパ装置は、直流電源と負荷との間に接続した半導体スイッチを開閉制御することにより入力直流電圧とは異なる直流電圧を出力する。このチョッパ装置は、該チョッパ装置の出力電圧の検出値とその設定値との偏差に比例した信号を出力する電圧誤差増幅回路と、入力信号に比例して上記半導体スイッチの導通時間を演算する導通時間演算回路と、この導通時間演算回路の出力が印加され上記半導体スイッチを開閉制御する開閉指令回路と、上記誤差項ｍ回路と上記導通時間演算回路との間に設けられ上記直流入力電圧に対する直流出力電圧の比が上記電圧誤差増幅回路の出力信号に比例するように耐記導通時間演算回路に補正信号を印加する導通時間補正回路とを具備する（例えば、特許文献１参照）。
なお、上記チョッパ装置のダイオードを半導体スイッチに置き換えることにより双方向に電力変換が可能となる。
また、このチョッパ装置のように、入出力側以外に昇降圧に係わる蓄電素子を備えずに低圧側と高圧側との間で電力変換を行うチョッパ回路を、以下、ＳＰＣ（Ｓｉｎｇｌｅ  Ｐｈａｓｅ  Ｃｈｏｐｐｅｒ）回路と称す。【０００４】
ＳＰＣ回路の制御方法としては、目標電圧と負荷装置側の電圧との差が少なくなるようにＰＩ（比例・積分）制御を行い、昇圧動作と降圧動作の区別なく双方向コンバータに含まれる２個のスイッチング素子をＰＷＭ（Ｐｕｌｔｈ  Ｗｉｄｔｈ  Ｍｏｄｕｌａｔｉｏｎ）制御する方法が開示されている（例えば、特許文献２参照）。【０００５】
また、従来の別例による電力変換装置として、以下に示すものがある。
電力変換装置は、端子群とリアクトルとスイッチング素子直列回路と充放電コンデンサと平滑コンデンサとを有するものである。上記端子群は第１、第２、第３、第４の端子を有し、上記スイッチング素子直列回路は第１、第２、第３、第４のスイッチング素子が直列に接続されたものである。上記第２及び第３のスイッチング素子の接続点が上記リアクトルを介して上記第１の端子に接続され、上記第１のスイッチング素子の上記第２のスイッチング素子との接続点との反対側が上記第２の端子に接続され、上記充放電コンデンサが上記第１及び第２のスイッチング素子との接続点と上記第３及び第４のスイッチング素子との接続点との間に接続され、上記スイッチング素子直列回路に上記平滑コンデンサが並列に接続されるとともに上記スイッチング素子直列回路が上記第３及び第４の端子に接続される。上記第１及び第２の端子が低圧側とされ、上記第３及び第４の端子が高圧側とされ、上記低圧側と上記高圧側との間で直流電圧の変換を行う（例えば、特許文献３参照）。
なお、この電力変換装置のように、入出力側以外に充放電コンデンサを備えて、低圧側と高圧側との間で電力変換を行うチョッパ回路を、以下、ＭＬＣ（Ｍｕｌｔｉ  Ｌｅｖｅｌ  Ｃｈｏｐｐｅｒ）回路と称す。【０００６】
また、電力変換装置内で用いられるコンデンサは、大電力用途の場合、複数のコンデンサ素子を並列接続させて構成されることが一般的である。コンデンサ素子を並列接続すると、各コンデンサ素子の直列共振周波数間でインピーダンスが大きくなる並列共振が発生することが知られている。並列共振点では、インピーダンスとＥＳＲ（Ｅｑｕｉｖａｌｅｎｔ  Ｓｅｒｉｅｓ  Ｒｅｓｉｓｔａｎｃｅ）が高くなり易く、コンデンサ内部に循環電流が流れ、異常発熱が発生し易くなる（例えば、特許文献４参照）。
【先行技術文献】
【特許文献】
【０００７】
【特許文献１】特開昭５９−２５６７号公報
【特許文献２】特開２０１０−１１５０５６号公報
【特許文献３】特許第５４５７５５９号公報
【特許文献４】特開２０１２−７９７５７号公報
【発明の概要】
【発明が解決しようとする課題】
【０００８】
上記のような従来の電力変換装置内のコンデンサに、複数のコンデンサ素子を並列接続させたコンデンサを用いると、並列共振点において、インピーダンスとＥＳＲが高くなり易く、異常発熱が発生し易くなる。また、コンデンサを流れる電流には、スイッチング周波数に基づく基本波成分以外に、高調波成分が多く含まれ、高調波成分の周波数が並列共振周波数付近に一致すると、コンデンサの損失が大きくなり、異常発熱にもつながるものであった。
またコンデンサの温度上昇を抑制する為に、コンデンサの容量増大あるいは冷却構造を拡充させると、装置構成の大型化や高コスト化を招くものであった。【０００９】
この発明は、上記のような問題点を解決するためになされたものであり、複数のコンデンサ素子を並列接続させたコンデンサを用い、直流／直流間で電力変換する電力変換装置において、コンデンサの並列共振に起因する損失を低減してコンデンサの温度上昇を抑制すると共に、装置構成の小型化、低コスト化を図る事を目的とする。
【課題を解決するための手段】
【００１０】
この発明に係る電力変換装置は、導通、遮断が行われる複数の半導体素子と、リアクトルと、それぞれ複数のコンデンサ素子が並列接続された複数のコンデンサとを有するＤＣ／ＤＣコンバータと、上記ＤＣ／ＤＣコンバータを制御する制御回路とを備える。上記複数の半導体素子の少なくとも一部は、スイッチング素子であり、上記制御回路は、設定周波数で上記スイッチング素子を駆動制御する。そして、上記設定周波数は、上記複数のコンデンサの全ての上記複数のコンデンサ素子の直列共振周波数未満であって、上記複数のコンデンサの１つである第１コンデンサにおける上記複数のコンデンサ素子の並列共振周波数ｆｐを上記第１コンデンサに流れる高調波電流に基づいて決定される次数Ｎで除した値（ｆｐ／Ｎ）より低く、かつ、該設定周波数の整数倍が上記並列共振周波数ｆｐに一致しないものである。
【発明の効果】
【００１１】
この発明の電力変換装置によれば、コンデンサの並列共振に起因する損失を低減することができ、電力変換効率を向上できると共に、コンデンサの温度上昇を抑制できる。またこれにより、装置構成の小型化、低コスト化を実現できる。
【図面の簡単な説明】
【００１２】
【図１】この発明の実施の形態１による電力変換装置の回路構成を示す図である。
【図２】この発明の実施の形態１による高圧側コンデンサを説明する回路図である。
【図３】この発明の実施の形態１による高圧側コンデンサの構造図である。
【図４】この発明の実施の形態１による電力変換装置の制御ブロック図である。
【図５】この発明の実施の形態１による第１制御ブロックの詳細を示すブロック図である。
【図６】この発明の実施の形態１による高圧側コンデンサの詳細回路図である。
【図７】この発明の実施の形態１による高圧側コンデンサのインピーダンスの周波数特性を示す図である。
【図８】この発明の実施の形態１による高圧側コンデンサのＥＳＲの周波数特性を示す図である。
【図９】この発明の実施の形態１による電力変換装置の動作を説明する各部の波形図である。
【図１０】この発明の実施の形態１による高圧側コンデンサに流れる電流成分を示す特性図である。
【図１１】この発明の実施の形態１による高圧側コンデンサ群に流れる電流の電流累積率を示す特性図である。
【図１２】この発明の実施の形態１によるキャリア周波数を説明する概略図である。
【図１３】この発明の実施の形態２による電力変換装置の回路構成を示す図である。
【図１４】この発明の実施の形態２による電力変換装置の制御ブロック図である。
【図１５】この発明の実施の形態２による第１制御ブロックの詳細を示すブロック図である。
【図１６】この発明の実施の形態２による電力変換装置の動作を説明する各部の波形図である。
【図１７】この発明の実施の形態２による電力変換装置の動作を説明する各部の波形図である。
【図１８】この発明の実施の形態２による充放電コンデンサに流れる電流成分を示す特性図である。
【図１９】この発明の実施の形態２による充放電コンデンサに流れる電流の電流累積率を示す特性図である。
【図２０】この発明の実施の形態２によるキャリア周波数を説明する概略図である。
【図２１】この発明の実施の形態３による電力変換装置の回路構成を示す図である。
【図２２】この発明の実施の形態３による第１制御ブロックの詳細を示すブロック図である。
【図２３】この発明の実施の形態４による電力変換装置の回路構成を示す図である。
【図２４】この発明の実施の形態４による第１制御ブロックの詳細を示すブロック図である。
【発明を実施するための形態】
【００１３】
実施の形態１．
以下、この発明の実施の形態１による電力変換装置を図に基づいて以下に説明する。
図１は、この発明の実施の形態１による電力変換装置の回路構成を示す図である。図１に示すように、電力変換装置５は主回路であるＤＣ／ＤＣコンバータ３と、ＤＣ／ＤＣコンバータ３を制御する制御回路４とを備える。ＤＣ／ＤＣコンバータ３は、リアクトル１と、第１半導体素子としてのスイッチング素子Ｓ１と第２半導体素子としてのスイッチング素子Ｓ２とから成る半導体モジュール２と、低圧側コンデンサＣ１と、第１コンデンサとしての高圧側コンデンサＣ２とを備える。また、電流センサ６と電圧センサ７とが設けられる。制御回路４は、各センサ６、７からの検出値に基づいてスイッチング素子Ｓ１、Ｓ２を駆動制御する。
また、ＤＣ／ＤＣコンバータ３の低圧側（Ｐ１−Ｎ１間）には高圧バッテリ１０が、高圧側（Ｐ２−Ｎ２間）には電動機１１がそれぞれ接続されている。なお、各スイッチング素子Ｓ１、Ｓ２は、例えば、それぞれＩＧＢＴ（Ｉｎｓｕｌａｔｅｄ  Ｇａｔｅ  Ｂｉｐｏｌａｒ  Ｔｒａｎｓｉｓｔｏｒ）と、それに逆並列に接続されたダイオードとで構成される。
【００１４】
電力変換装置５は、低圧側と高圧側との間で双方向の電力変換が可能な双方向型のＳＰＣ回路であり、低圧側の端子であるＰ１−Ｎ１間に入力された入力電圧（低圧側電圧）Ｖ１を、Ｖ１以上の電圧に昇圧し、昇圧後の出力電圧（高圧側電圧）Ｖ２を高圧側の端子であるＰ２−Ｎ２間に出力するものである。スイッチング素子Ｓ１は、一端（第１端）が低圧側コンデンサＣ１の負極側端子に接続され、他端（第２端）がリアクトル１を介して低圧側コンデンサＣ１の正極側端子に接続される。スイッチング素子Ｓ２は、一端（第１端）がスイッチング素子Ｓ１の第２端に接続され、他端（第２端）が高圧側コンデンサＣ２の正極側端子に接続される。
【００１５】
低圧側コンデンサＣ１は入力電圧Ｖ１を平滑化する。リアクトル１はエネルギ蓄積に用いられ、半導体モジュール２は、入力電圧Ｖ１を出力電圧Ｖ２まで昇圧する。この場合、半導体モジュール２の各スイッチング素子Ｓ１、Ｓ２は、制御回路４が出力するゲート信号Ｇ１、Ｇ２がＨｉｇｈの時にオンする。
電流センサ６は、リアクトル１を流れるリアクトル電流ＩＬを検出する。電圧センサ７は、高圧側コンデンサＣ２の端子間電圧を出力電圧Ｖ２（高圧側電圧）として検出する。高圧側コンデンサＣ２は出力電圧Ｖ２を平滑化する。
制御回路４は、電流センサ６の検出値（ＩＬ）および電圧センサ７の検出値（Ｖ２）に応じて、各スイッチング素子Ｓ１、Ｓ２のゲート信号Ｇ１、Ｇ２を生成し、各スイッチング素子Ｓ１、Ｓ２をＯＮ／ＯＦＦ動作させる。
【００１６】
図２、図３は、高圧側コンデンサＣ２の構成を示す図であり、特に、図２は回路図、図３は構造図である。
図２に示すように、高圧側コンデンサＣ２は、同特性の複数のコンデンサ素子である第１コンデンサ素子２０ａと第２コンデンサ素子２０ｂとが並列接続されて構成される。また、図３に示すように、第１コンデンサ素子２０ａと第２コンデンサ素子２０ｂとが、第１バスバー２０ｃおよび第２バスバー２０ｄで並列接続されて高圧側コンデンサＣ２が構成され、高圧側端子間であるＰ２−Ｎ２間に接続される。
また、図示していないが、第１、第２コンデンサ素子２０ａ、２０ｂと第１、第２バスバー２０ｃ、２０ｄは、ＰＰＳ（Ｐｏｌｙｐｈｅｎｙｌｅｎｅ  ｓｕｌｆｉｄｅ）樹脂等から製造されるケース内に収められ、エポキシ樹脂等が充填されて、高圧側コンデンサＣ２を形成する。
なお、低圧側コンデンサＣ１の構成も同様であり、複数のコンデンサ素子が並列接続されて構成され、この場合、低圧側端子間であるＰ１−Ｎ１間に接続される。
【００１７】
図４は、制御回路４の制御ブロック図である。図４に示すように、制御回路４は、減算器４１、第１制御器４２、減算器４３ａ、リミッタ４４および第１制御ブロック４５を有する。
また、第１制御ブロック４５の詳細を、図５に示す。図５に示すように、第１制御ブロック４５は、比較器４５ａ、記憶器４５ｂ、周波数指令器４５ｃ、キャリア信号発生器４５ｄおよびインバータ４５ｅを有する。なお、記憶器４５ｂには、設定周波数としてのキャリア周波数ｆｓｗが記憶されている。
【００１８】
制御回路４の動作、即ち、ＤＣ／ＤＣコンバータ３の制御について、図４、図５に基づいて以下に説明する。
高圧側電圧の指令値である出力電圧目標値Ｖ２＊と、検出された出力電圧Ｖ２とが減算器４１に入力され、減算器４１が出力する差電圧ΔＶ２が、第１制御器４２に入力される。第１制御器４２は、比例動作と積分動作を組み合わせたＰＩ制御を実施する。減算器４３ａは、Ｖ２／Ｖ２＊で示されるＤＣ／ＤＣコンバータ３の理論昇圧比の逆数である（Ｖ２／Ｖ２＊）から、第１制御器４２からの出力を減算して、スイッチング素子Ｓ１の導通率であるデューティ比Ｄを出力する。リミッタ４４は、検出されたリアクトル電流ＩＬの値が負から正に変化したこと、即ち、リアクトル電流ＩＬがゼロクロスしたことを検出すると、一定期間、デューティ比Ｄの低下を抑制するための制限処理を実行する。なお、リミッタ４４の制限処理は、一定期間が経過すると解除する。
【００１９】
第１制御ブロック４５は、ＰＷＭ信号（ゲート信号Ｇ１、Ｇ２）を生成するためのブロックである。周波数指令器４５ｃは、記憶器４５ｂに記憶されたキャリア周波数ｆｓｗを参照し、キャリア信号発生器４５ｄに対し周波数ｆｓｗでのキャリア信号の生成を指示する。キャリア信号発生器４５ｄは、周波数ｆｓｗのキャリア信号である第１三角波ＳＷ１を生成する。比較器４５ａには、リミッタ４４を介して出力されたデューティ比Ｄと第１三角波ＳＷ１とが入力され、両者を比較することによりスイッチング素子Ｓ１のゲート信号Ｇ１が生成される。また、インバータ４５ｅは、ゲート信号Ｇ１を反転してスイッチング素子Ｓ２のゲート信号Ｇ２を出力する。
【００２０】
図６は、高圧側コンデンサＣ２の寄生成分を考慮した回路図である。なお、回路図の簡単化のため、各端子Ｐ２、Ｎ２から第１コンデンサ素子２０ａまでの、それぞれのＥＳＲおよびＥＳＬ（Ｅｑｕｉｖａｌｅｎｔ  Ｓｅｒｉｅｓ  Ｉｎｄｕｃｔａｎｃｅ）を無視する。
図６に示すように、第１コンデンサ素子２０ａ、第２コンデンサ素子２０ｂは、それぞれ、容量成分（Ｃ）とＥＳＲ（Ｒ）とＥＳＬ（Ｌ）とで表す。また、第１バスバー２０ｃ、第２バスバー２０ｄは、それぞれ、ＥＳＲ（Ｒｂ／２）とＥＳＬ（Ｌｂ／２）とで表す。なお、ここでは簡単化のため各バスバーの寄生容量成分を無視した。
【００２１】
ここで、Ｐ２−Ｎ２端子を基点として第１コンデンサ素子２０ａのインピーダンスＺ１は式（１）で表わされる。なお、ωは角周波数である。
Ｚ１＝Ｒ＋ｊ（ωＬ−（１／ωＣ））        ・・・（１）
【００２２】
従って、第１コンデンサ素子２０ａの直列共振周波数ｆｓ１は式（２）で表わされる。
ｆｓ１＝１／（２π√（ＬＣ））        ・・・（２）
【００２３】
一方、Ｐ２−Ｎ２端子を基点として第２コンデンサ素子２０ｂのインピーダンスＺ２は式（３）で表わされる。
Ｚ２＝（Ｒ＋Ｒｂ）＋ｊ（ωＬ＋ωＬｂ−（１／ωＣ））
・・・（３）
【００２４】
従って、バスバー２０ｃ、２０ｄを含めた第２コンデンサ素子２０ｂの直列共振周波数ｆｓ２は式（４）で表わされる。
ｆｓ２＝１／（２π√（（Ｌ＋Ｌｂ）／Ｃ））        ・・・（４）
【００２５】
上述したように、スイッチング素子Ｓ１、Ｓ２は、周波数ｆｓｗでスイッチング制御され、それに従って高圧側コンデンサＣ２も周波数ｆｓｗで動作する。
第１コンデンサ素子２０ａは直列共振周波数ｆｓ１以上の周波数、第２コンデンサ素子２０ｂは直列共振周波数ｆｓ２以上の周波数において、それぞれインダクタンス成分がインピーダンスに現れる。従って、第１、第２コンデンサ素子２０ａをコンデンサとして機能させるために、スイッチングの周波数ｆｓｗを、第１コンデンサ素子２０ａの直列共振周波数ｆｓ１未満、かつ第２コンデンサ素子２０ｂの直列共振周波数ｆｓ２未満の値とする。
【００２６】
また、低圧側コンデンサＣ１が、第３コンデンサ素子と第４コンデンサ素子との２つのコンデンサ素子を並列接続されたものとすると、第３、第４コンデンサ素子をコンデンサとして機能させるために、スイッチングの周波数ｆｓｗを、第３コンデンサ素子の直列共振周波数ｆｓ３未満、かつ第４コンデンサ素子の直列共振周波数ｆｓ４未満の値とする。
このように、スイッチング素子Ｓ１、Ｓ２をスイッチングする周波数ｆｓｗは、低圧側コンデンサＣ１および高圧側コンデンサＣ２内の全てのコンデンサ素子の直列共振周波数ｆｓ１〜ｆｓ４未満に設定される。
【００２７】
図７に、高圧側コンデンサＣ２のインピーダンスの周波数特性を示す。ここでは、第１コンデンサ素子２０ａのインピーダンス２１ａと、第２コンデンサ素子２０ｂのインピーダンス２１ｂと、第１、第２コンデンサ素子２０ａ、２０ｂから成る高圧側コンデンサＣ２のインピーダンス２１とを示す。
図７に示すように、第１コンデンサ素子２０ａのインピーダンス２１ａは、式（２）から求まる直列共振周波数ｆｓ１での直列共振点Ｙ１を有する。第２コンデンサ素子２０ｂのインピーダンス２１ｂは、式（４）から求まる直列共振周波数ｆｓ２での直列共振点Ｙ２を有する。
【００２８】
ｆｓ２からｆｓ１の間の周波数では、第１コンデンサ素子２０ａはコンデンサとして働き、第２コンデンサ素子２０ｂはインダクタとして働くため、第１コンデンサ素子２０ａと第２コンデンサ素子２０ｂとの並列共振が発生し、結果として高圧側コンデンサＣ２のインピーダンスが大きくなる。図７に示すように、高圧側コンデンサＣ２のインピーダンス２１は、並列共振周波数ｆｐ１（ｆｓ２＜ｆｐ１＜ｆｓ１）での並列共振点Ｘにおいて、極大値をとる。
図８に、高圧側コンデンサＣ２のＥＳＲの周波数特性を示す。図８に示すように、高圧側コンデンサＣ２のＥＳＲ２２は、並列共振周波数ｆｐ１での並列共振点Ｘにおいて、インピーダンスと同様に大きくなり、極大値をとる。
【００２９】
図９は、電力変換装置５の動作を説明する各部の波形図である。上段から、スイッチング素子Ｓ１のゲート信号Ｇ１、リアクトル１の両端電圧ｖＬ、リアクトル１に流れる電流ｉＬ、スイッチング素子Ｓ１に流れる電流ｉｓ１、スイッチング素子Ｓ２に流れる電流ｉｓ２、低圧側コンデンサＣ１に流れる電流ｉｃ１および高圧側コンデンサＣ２に流れる電流ｉｃ２の各波形図を示す。なお、周期変動する電流、電圧には小文字のｉ、ｖを用いて示している。
【００３０】
ここで、スイッチング素子Ｓ２に流れる電流の実効値Ｉｓ２（ｒｍｓ）は、端子Ｐ１から端子Ｐ２方向に流れる電流の向きを正とすると、式（５）で表わされる。
なお、低圧側電圧をＶ１、高圧側電圧をＶ２、低圧側電力をＰ１、リアクトル１のインダクタンス値をＬ、スイッチング素子Ｓ１、Ｓ２のスイッチング周波数（キャリア周波数）をｆｓｗ、スイッチング周期をＴｓｗ、スイッチング素子Ｓ１のオン時間をＴｏｎ、スイッチング素子Ｓ１のデューティ比をＤ、リアクトル１を流れる直流電流をＩ１、リアクトル１を流れる電流のリプル成分をΔＩＬとする。
【００３１】
【数１】
2017018038.tif 000003
【００３２】
また、スイッチング素子Ｓ２に流れる電流の平均値Ｉｓ２（ａｖｅ）は、式（６）で表わされる。
【００３３】
【数２】
2017018038.tif 000004
【００３４】
高圧側コンデンサＣ２に流れる電流の実効値Ｉｃ２（ｒｍｓ）は、式（７）で表わされる。
【００３５】
【数３】
2017018038.tif 000005
【００３６】
なお、Ｄ、Ｉ１、ΔＩＬは式（８）〜式（１０）でそれぞれ表わされる。
Ｄ＝１−（Ｖ１／Ｖ２）        ・・・（８）
Ｉ１＝Ｐ１／Ｖ１        ・・・（９）
ΔＩＬ＝Ｄ・Ｖ１／（Ｌ・ｆｓｗ）        ・・・（１０）
【００３７】
図１０は、高圧側コンデンサＣ２に流れる電流の基本波成分と高調波成分を示す特性図である。条件は、Ｖ１＝２００Ｖ、Ｖ２＝５００Ｖ、Ｉ１＝１００Ａであり、Ｉｃ２（ｒｍｓ）−ｎはＩｃ２（ｒｍｓ）のｎ次の高調波成分を表わす。なお、ｎが１の時は周波数ｆｓｗの基本波成分を示す。
図１０に示すように、高圧側コンデンサＣ２に流れる電流Ｉｃ２には奇数次および偶数次の高調波成分が含まれることが分かる。
【００３８】
図１１は、高圧側コンデンサＣ２に流れる電流の各次数の高調波成分までの電流累積率を示す特性図である。条件は、Ｖ１＝２００Ｖ、Ｉ１＝１００Ａである。
ここで、Ｉｃ２（ｒｍｓ）のｎ次の高調波成分までの電流累積率、即ち、１〜ｎ次までの高調波成分による電流累積率は、式（１１）で表わされる。なお、Ｉｃ２（ｒｍｓ）−ｋはＩｃ２（ｒｍｓ）のｋ次の高調波成分を表わす。
【００３９】
【数４】
2017018038.tif 000006
【００４０】
図１１に示すように、Ｖ２＝３００Ｖ、４００Ｖ、５００Ｖいずれの場合も、Ｉｃ２（ｒｍｓ）では、全電流成分の９５％以上が、１次（基本波成分）から５次までの高調波成分に含まれる。すなわち、高圧側コンデンサＣ２に流れる電流は１次から５次までの高調波成分が支配的であると言え、電流累積率は飽和状態となる。
【００４１】
図１２は、キャリア周波数ｆｓｗの設定を説明する概略図である。
低圧側コンデンサＣ１は、図２、図３に示した高圧側コンデンサＣ２と同様の構成であり、静電容量のみが高圧側コンデンサＣ２よりも小さいとすると、第１〜第４コンデンサ素子の直列共振周波数ｆｓ１〜ｆｓ４の関係は、ｆｓ２＜ｆｓ１＜ｆｓ４＜ｆｓ３となる。上述したように、キャリア周波数ｆｓｗは、低圧側コンデンサＣ１および高圧側コンデンサＣ２内の全てのコンデンサ素子である第１〜第４コンデンサ素子の直列共振周波数ｆｓ１〜ｆｓ４未満に設定される。
そして、Ｉｃ２（ｒｍｓ）の１次から５次までの高調波成分が、ＥＳＲが極大値をとる高圧側コンデンサＣ２の並列共振周波数ｆｐ１より低い周波数となるように、しかも、Ｉｃ２（ｒｍｓ）の高調波成分の周波数が並列共振周波数ｆｐ１と重ならないようにキャリア周波数ｆｓｗを設定する。即ち、キャリア周波数ｆｓｗは、高圧側コンデンサＣ２の並列共振周波数ｆｐ１の１／５より低く、かつ、その整数倍が並列共振周波数ｆｐ１に一致しないように設定される。なお、設定させたキャリア周波数ｆｓｗは記憶器４５ｂに記憶される。
【００４２】
高圧側コンデンサＣ２のＥＳＲのｋ次の高調波成分をＲｃ２−ｋとすると、高圧側コンデンサＣ２の１次からｎ次までの高調波成分の合計損失Ｐｃ２−ｎは式（１２）で表わされる。
【００４３】
【数５】
2017018038.tif 000007
【００４４】
キャリア周波数ｆｓｗの整数倍が高圧側コンデンサＣ２の並列共振周波数ｆｐ１に一致しないように設定されている為、高圧側コンデンサＣ２に流れる電流Ｉｃ２（ｒｍｓ）の高調波成分の周波数が並列共振周波数ｆｐ１と重ならず、高圧側コンデンサＣ２のＥＳＲの各高調波成分が極大値になることを回避できる。
さらに、キャリア周波数ｆｓｗを（ｆｐ１／５）未満の値とすることにより、高圧側コンデンサＣ２に流れる電流Ｉｃ２（ｒｍｓ）において支配的である１次から５次までの高調波成分のＥＳＲである各（Ｒｃ２−１）〜（Ｒｃ２−５）が極大値となることを確実に回避し、なおかつ極大値未満の比較的小さい値とすることができる。
このため、上記式（１２）で表わされる高圧側コンデンサＣ２の損失を抑制することができる。
【００４５】
以上のように、この実施の形態１による電力変換装置５では、スイッチング素子Ｓ１、Ｓ２を駆動するキャリア周波数（スイッチング周波数）ｆｓｗを、低圧側コンデンサＣ１および高圧側コンデンサＣ２内の全てのコンデンサ素子である第１〜第４コンデンサ素子の直列共振周波数ｆｓ１〜ｆｓ４未満で、しかも、高圧側コンデンサＣ２の並列共振周波数ｆｐ１の１／５未満であって、キャリア周波数ｆｓｗの整数倍（奇数倍および偶数倍）が並列共振周波数ｆｐ１に一致しないように設定する。
このため、高圧側コンデンサＣ２の並列共振により増大するＥＳＲと高調波電流とによる損失を抑制して、スイッチング素子Ｓ１、Ｓ２の制御により発生する高圧側コンデンサＣ２の損失を低減できる。
また、高圧側コンデンサＣ２は、低圧側コンデンサＣ１より流れる電流が多く、損失低減の効果が大きい。
【００４６】
また、キャリア周波数ｆｓｗを上記のように設定することで、高圧側コンデンサＣ２の並列共振に起因して増大する損失を抑制することができ、電力変換装置５の電力変換効率を向上できると共に、高圧側コンデンサＣ２の温度上昇を抑制でき信頼性も向上する。また、高圧側コンデンサＣ２の容量増大や、冷却構造の拡充を要さずに、高圧側コンデンサＣ２の損失低減および温度上昇の抑制の効果が得られる為、装置構成の小型化、低コスト化を実現することが可能になる。
【００４７】
なお、上記実施の形態では、高圧側コンデンサＣ２の並列共振周波数ｆｐ１の１／５未満にキャリア周波数ｆｓｗを設定したが、高圧側コンデンサＣ２に流れる電流の電流累積率が、基本波成分から次数Ｎまでの高調波成分で飽和状態となる次数Ｎで並列共振周波数ｆｐ１を除した値（ｆｐ１／Ｎ）より低く設定するものであれば良い。
また、並列共振周波数ｆｐ１を除する次数は、飽和状態となる次数より低い次数としても良く、その場合も、キャリア周波数ｆｓｗは、第１〜第４コンデンサ素子の直列共振周波数ｆｓ１〜ｆｓ４未満で、その整数倍が並列共振周波数ｆｐ１に一致しないように設定されているため、並列共振に起因する高圧側コンデンサＣ２の損失低減の効果が得られる。
【００４８】
さらに、高圧側コンデンサＣ２、低圧側コンデンサＣ１は、それぞれの２つのコンデンサ素子を並列接続したものとしたが、３個以上のコンデンサ素子を並列接続しても良く、コンデンサ素子の並列数が異なるものでも良い。
高圧側コンデンサＣ２が３個以上のコンデンサ素子を並列接続する場合、並列共振周波数が２個以上発生する場合があるが、スイッチング素子Ｓ１、Ｓ２の制御に用いるキャリア周波数は、最も低い並列共振周波数の１／５未満の値とする。
【００４９】
また、上記実施の形態１では、電力変換装置５は双方向の電力変換が可能な双方向型のＳＰＣ回路としたが、例えば第２半導体素子にスイッチング素子Ｓ２の代わりにダイオードを用いて、低圧側から高圧側への一方向の電力変換を行うものとしても良く、キャリア周波数ｆｓｗを同様に設定することで、同様の効果が得られる。
【００５０】
実施の形態２．
次に、この発明の実施の形態２による電力変換装置を図に基づいて以下に説明する。
図１３は、この発明の実施の形態２による電力変換装置の回路構成を示す図である。図１３に示すように、電力変換装置５ａは主回路であるＤＣ／ＤＣコンバータ３ａと、ＤＣ／ＤＣコンバータ３ａを制御する制御回路４ａとを備える。ＤＣ／ＤＣコンバータ３ａは、リアクトル１と、半導体モジュール２ａと、低圧側コンデンサＣ１と、高圧側コンデンサＣ２と、第１コンデンサとしての充放電コンデンサＣ０とを備える。半導体モジュール２ａは、第１半導体素子としてのスイッチング素子Ｓ１と、第２半導体素子としてのスイッチング素子Ｓ２と、第３半導体素子としてのスイッチング素子Ｓ３と、第４半導体素子としてのスイッチング素子Ｓ４とを直列接続して構成される。また、ＤＣ／ＤＣコンバータ３ａには、電流センサ６と電圧センサ７、８とが設けられる。制御回路４ａは、各センサ６〜８からの検出値に基づいてスイッチング素子Ｓ１〜Ｓ４を駆動制御する。
また、ＤＣ／ＤＣコンバータ３ａの低圧側（Ｐ１−Ｎ１間）には高圧バッテリ１０が、高圧側（Ｐ２−Ｎ２間）には電動機１１がそれぞれ接続されている。なお、各スイッチング素子Ｓ１〜Ｓ４は、例えば、それぞれＩＧＢＴと、それに逆並列に接続されたダイオードとで構成される。
【００５１】
電力変換装置５は、低圧側と高圧側との間で双方向の電力変換が可能な双方向型のＭＬＣ回路であり、低圧側の端子であるＰ１−Ｎ１間に入力された入力電圧（低圧側電圧）Ｖ１を、Ｖ１以上の電圧に昇圧し、昇圧後の出力電圧（高圧側電圧）Ｖ２を高圧側の端子であるＰ２−Ｎ２間に出力するものである。スイッチング素子Ｓ１は、一端（第１端）が低圧側コンデンサＣ１の負極側端子に接続される。スイッチング素子Ｓ２は、一端（第１端）がスイッチング素子Ｓ１の第２端に接続され、他端（第２端）がリアクトル１を介して低圧側コンデンサＣ１の正極側端子に接続される。スイッチング素子Ｓ３は、一端（第１端）がスイッチング素子Ｓ２の第２端に接続される。スイッチング素子Ｓ４は、一端（第１端）がスイッチング素子Ｓ３の第２端に接続され、他端（第２端）が高圧側コンデンサＣ２の正極側端子に接続される。
さらに、充放電コンデンサＣ０は、一端がスイッチング素子Ｓ１とスイッチング素子Ｓ２との中間接続点に接続され、他端がスイッチング素子Ｓ３とスイッチング素子Ｓ４との中間接続点に接続される。
【００５２】
低圧側コンデンサＣ１は入力電圧Ｖ１を平滑化する。リアクトル１はエネルギ蓄積に用いられ、半導体モジュール２ａおよび充放電コンデンサＣ０は、入力電圧Ｖ１を出力電圧Ｖ２まで昇圧する。この場合、半導体モジュール２ａの各スイッチング素子Ｓ１〜Ｓ４は、制御回路４ａが出力するゲート信号Ｇ１〜Ｇ４がＨｉｇｈの時にオンする。
電流センサ６は、リアクトル１を流れるリアクトル電流ＩＬを検出する。電圧センサ７は、高圧側コンデンサＣ２の端子間電圧を出力電圧Ｖ２（高圧側電圧）として検出する。電圧センサ８は、充放電コンデンサＣ０の端子間電圧を中間電圧Ｖ０として検出する。高圧側コンデンサＣ２は出力電圧Ｖ２を平滑化する。
制御回路４ａは、電流センサ６の検出値（ＩＬ）および電圧センサ７、８の検出値（Ｖ２、Ｖ０）に応じて、各スイッチング素子Ｓ１〜Ｓ４のゲート信号Ｇ１〜Ｇ４を生成し、各スイッチング素子Ｓ１〜Ｓ４をＯＮ／ＯＦＦ動作させる。
【００５３】
図１４は、制御回路４ａの制御ブロック図である。図１４に示すように、制御回路４ａは、減算器４１、第１制御器４２、乗算器４６、減算器４７、第２制御ブロック４８、第２制御器４９、第３制御ブロック４３および第１制御ブロック４５を有する。第２制御ブロック４８は、乗算器４８ａ、比較器４８ｂ、開閉接点４８ｃ、インバータ４８ｄおよび開閉接点４８ｅを有する。第３制御ブロック４３は、減算器４３ａおよび加算器４３ｂを有する。
また、第１制御ブロック４５の詳細を、図１５に示す。図１５に示すように、第１制御ブロック４５は、比較器４５ａ、記憶器４５ｂ、周波数指令器４５ｃ、キャリア信号発生器４５ｄ、インバータ４５ｅ、比較器４５ｆ、キャリア信号発生器４５ｇおよびインバータ４５ｈを有する。なお、記憶器４５ｂには、設定周波数としてのキャリア周波数ｆｓｗが記憶されている。
【００５４】
制御回路４ａの動作、即ち、ＤＣ／ＤＣコンバータ３ａの制御について、図１４、図１５に基づいて以下に説明する。なお、この実施の形態においてはリアクトル１のリプル電流を最小化するため、中間電圧の指令値としての中間電圧目標値Ｖ０＊は、出力電圧Ｖ２の２分の１の値（０．５倍）としている。
高圧側電圧の指令値としての出力電圧目標値Ｖ２＊と、検出された出力電圧Ｖ２とが減算器４１に入力され、減算器４１が出力する差電圧ΔＶ２が、第１制御器４２に入力される。第１制御器４２は、比例動作と積分動作を組み合わせたＰＩ制御を実施して第１演算値を出力する。また、乗算定数が０．５に設定された乗算器４６にて出力電圧Ｖ２が０．５倍されて、中間電圧目標値Ｖ０＊が生成される。減算器４７には、中間電圧目標値Ｖ０＊と、充放電コンデンサＣ０の電圧検出値としての中間電圧Ｖ０とが入力され、これらの差電圧ΔＶ０が演算されて、第２制御ブロック４８に入力される。
【００５５】
第２制御ブロック４８において、検出されたリアクトル電流ＩＬが比較器４８ｂに入力され、リアクトル電流ＩＬの極性に応じて開閉接点４８ｃ、４８ｅを開閉することにより、中間電圧目標値Ｖ０＊と中間電圧Ｖ０との差電圧ΔＶ０の極性を切替える。リアクトル電流ＩＬが正の場合は差電圧ΔＶ０をそのまま出力し、リアクトル電流ＩＬが負の場合は乗算器４８ａにて−１を乗じて極性を反転させ、さらにインバータ４８ｄを介して開閉接点４８ｅを閉成することにより出力する。
第２制御器４９は、第２制御ブロック４８からの出力（±ΔＶ０）を増幅するＰ制御を実施して第２演算値を出力する。
第３制御ブロック４３には、第１制御器４２からの第１演算値と、第２制御器４９からの第２演算値とが入力され、加算器４３ｂにて両者が加算され、減算器４３ａにて差分が演算される。加算器４３ｂは、スイッチング素子Ｓ１の導通率としてのデューティ比Ｄ１を出力し、また、減算器４３ａは、スイッチング素子Ｓ２の導通率としてのデューティ比Ｄ２を出力する。
【００５６】
第１制御ブロック４５は、第３制御ブロック４３からのデューティ比Ｄ１、Ｄ２を入力としてＰＷＭ信号（ゲート信号Ｇ１〜Ｇ４）を生成するためのブロックである。周波数指令器４５ｃは、記憶器４５ｂに記憶されたキャリア周波数ｆｓｗを参照し、キャリア信号発生器４５ｄ、４５ｇに対し周波数ｆｓｗでのキャリア信号の生成を指示する。キャリア信号発生器４５ｄは、周波数ｆｓｗでのキャリア信号である第１三角波ＳＷ１を生成し、キャリア信号発生器４５ｇは、周波数ｆｓｗでのキャリア信号である第２三角波ＳＷ２を生成する。なお、リアクトル１のリプル電流を最小化するため、第１三角波ＳＷ１と第２三角波ＳＷ２とは、位相を１８０度反転した信号としている。
比較器４５ａには、デューティ比Ｄ１と第１三角波ＳＷ１とが入力され、両者を比較することによりスイッチング素子Ｓ１のゲート信号Ｇ１が生成される。また、インバータ４５ｅは、ゲート信号Ｇ１を反転してスイッチング素子Ｓ４のゲート信号Ｇ４を出力する。
比較器４５ｆには、デューティ比Ｄ２と第２三角波ＳＷ２とが入力され、両者を比較することによりスイッチング素子Ｓ２のゲート信号Ｇ２が生成される。また、インバータ４５ｈは、ゲート信号Ｇ２を反転してスイッチング素子Ｓ３のゲート信号Ｇ３を出力する。
【００５７】
上記実施の形態１と同様に、低圧側コンデンサＣ１および高圧側コンデンサＣ２は、それぞれ２つのコンデンサ素子を並列接続して構成され、充放電コンデンサＣ０も、同様に２つのコンデンサ素子を並列接続して構成される。即ち、各コンデンサＣ０、Ｃ１、Ｃ２では、図２、図３に示すように、２つのコンデンサ素子がバスバーにより並列接続される。
上記実施の形態１と同様に、高圧側コンデンサＣ２は、第１コンデンサ素子と第２コンデンサ素子とを並列接続して構成され、低圧側コンデンサＣ１は、第３コンデンサ素子と第４コンデンサ素子とを並列接続して構成され、また、充放電コンデンサＣ０は、第５コンデンサ素子と第６コンデンサ素子とを並列接続して構成される。
【００５８】
各コンデンサＣ０、Ｃ１、Ｃ２は、静電容量のみが異なるものとし、各コンデンサＣ０、Ｃ１、Ｃ２の静電容量をＣ０、Ｃ１、Ｃ２で表わし、Ｃ１＜Ｃ０＜Ｃ２、とする。第１〜第６コンデンサ素子の直列共振周波数ｆｓ１〜ｆｓ６の関係は、ｆｓ２＜ｆｓ１＜ｆｓ６＜ｆｓ５＜ｆｓ４＜ｆｓ３となる。
上述したように、スイッチング素子Ｓ１〜Ｓ４は、周波数ｆｓｗでスイッチング制御され、それに従ってコンデンサＣ０、Ｃ２は周波数ｆｓｗで、コンデンサＣ１は周波数２×ｆｓｗで動作する。各第１〜第６コンデンサ素子は、直列共振周波数以上の周波数において、それぞれインダクタンス成分がインピーダンスに現れる。このため、各第１〜第６コンデンサ素子をそれぞれコンデンサとして機能させるため、スイッチングの周波数ｆｓｗは、全てのコンデンサ素子（第１〜第６コンデンサ素子）の直列共振周波数ｆｓ１〜ｆｓ６未満に設定される。
【００５９】
また、低圧側コンデンサＣ１、高圧側コンデンサＣ２、充放電コンデンサＣ０では、充放電コンデンサＣ０に流れる電流が最も多いものである。
上記実施の形態１の図７で示した場合と同様に、充放電コンデンサＣ０において、第６コンデンサ素子の直列共振周波数ｆｓ６と第５コンデンサ素子の直列共振周波数ｆｓ５との間の周波数では、第５コンデンサ素子はコンデンサとして働き、第６コンデンサ素子はインダクタとして働くため、第５、第６コンデンサ素子の並列共振が発生し、充放電コンデンサＣ０のインピーダンスが大きくなり極大値をとる。ここで、充放電コンデンサＣ０の並列共振周波数をｆｐ２とする。
また、図８で示した場合と同様に、充放電コンデンサＣ０のＥＳＲは、並列共振周波数ｆｐ２での並列共振点において、インピーダンスと同様に大きくなり極大値をとる。
【００６０】
図１６、図１７は、電力変換装置５ａの動作を説明する各部の波形図である。図１６はスイッチング素子Ｓ１、Ｓ２のデューティ比Ｄ１、Ｄ２が０．５未満の場合を示し、図１７はスイッチング素子Ｓ１、Ｓ２のデューティ比Ｄ１、Ｄ２が０．５以上の場合を示す。上段から、スイッチング素子Ｓ２のゲート信号Ｇ２、スイッチング素子Ｓ１のゲート信号Ｇ１、リアクトル１の両端電圧ｖＬ、リアクトル１に流れる電流ｉＬ、充放電コンデンサＣ０の両端電圧ｖｃ０および充放電コンデンサＣ０に流れる電流ｉｃ０の各波形図を示す。なお、周期変動する電流、電圧には小文字のｉ、ｖを用いて示している。
また、定常状態では、スイッチング素子Ｓ１のデューティ比Ｄ１と、スイッチング素子Ｓ２のデューティ比Ｄ２とを等しくすることにより、理想的には出力電圧Ｖ２と充放電コンデンサＣ０とは、それぞれ一定値に収束する。ここでは、Ｄ１＝Ｄ２＝Ｄとする。
【００６１】
ここで、充放電コンデンサＣ０に流れる電流の実効値Ｉｃｏ（ｒｍｓ）と、リアクトル１を流れる電流のリプル成分ΔＩＬは、Ｄ＜０．５の場合は式（１３）、式（１４）で表され、Ｄ≧０．５の場合は式（１５）、式（１６）で表わされる。
なお、低圧側電圧をＶ１、高圧側電圧をＶ２、低圧側電力をＰ１、リアクトル１のインダクタンス値をＬ、スイッチング素子Ｓ１〜Ｓ４のスイッチング周波数（＝キャリア周波数）をｆｓｗ、スイッチング周期をＴｓｗ、スイッチング素子Ｓ１のオン時間をＴｏｎ、スイッチング素子Ｓ１、Ｓ２のデューティ比をＤ、リアクトル１を流れる直流電流をＩ１とする。
【００６２】
【数６】
2017018038.tif 000008
【００６３】
【数７】
2017018038.tif 000009
【００６４】
なお、Ｄ、Ｉ１は式（１７）、式（１８）でそれぞれ表わされる。
Ｄ＝１−（Ｖ１／Ｖ２）        ・・・（１７）
Ｉ１＝Ｐ１／Ｖ１        ・・・（１８）
【００６５】
図１８は、充放電コンデンサＣ０に流れる電流の基本波成分と高調波成分を示す特性図である。条件は、Ｖ１＝２００Ｖ、Ｖ２＝４００Ｖ、Ｉ１＝１００Ａであり、Ｉｃ０（ｒｍｓ）−ｎはＩｃ０（ｒｍｓ）のｎ次の高調波成分を表わす。なお、ｎが１の時は周波数ｆｓｗの基本波成分を示す。
図１８に示すように、充放電コンデンサＣ０に流れる電流Ｉｃ０には奇数次の高調波成分が含まれることが分かる。
【００６６】
図１９は、充放電コンデンサＣ０に流れる電流の各次数の高調波成分までの電流累積率を示す特性図である。条件は、Ｖ１＝２００Ｖ、Ｉ１＝１００Ａである。
ここで、Ｉｃ０（ｒｍｓ）のｎ次の高調波成分までの電流累積率、即ち、１〜ｎ次までの奇数次の高調波成分による電流累積率は、式（１９）で表わされる。なお、ｎは奇数である。
【００６７】
【数８】
2017018038.tif 000010
【００６８】
図１９に示すように、Ｖ２＝３００Ｖ、４００Ｖ、５００Ｖいずれの場合も、Ｉｃ０（ｒｍｓ）では、全電流成分の９５％以上が、１次（基本波成分）から５次までの高調波成分に含まれる。すなわち、充放電コンデンサＣ０に流れる電流は１次から５次までの高調波成分（基本波成分と、３次、５次の高調波成分）が支配的であると言え、電流累積率は飽和状態となる。
【００６９】
図２０は、キャリア周波数ｆｓｗの設定を説明する概略図である。
上述したように、高圧側コンデンサＣ２、低圧側コンデンサＣ１および充放電コンデンサＣ０内の各第１〜第６コンデンサ素子をコンデンサとして機能させるため、スイッチングの周波数ｆｓｗは、全てのコンデンサ素子（第１〜第６コンデンサ素子）の直列共振周波数ｆｓ１〜ｆｓ６未満に設定される。
そして、Ｉｃ０（ｒｍｓ）の各基本波成分、３次、５次の高調波成分が、ＥＳＲが極大値をとる充放電コンデンサＣ０の並列共振周波数ｆｐ２より低い周波数となるように、しかも、Ｉｃ０（ｒｍｓ）の高調波成分の周波数が並列共振周波数ｆｐ２と重ならないようにキャリア周波数ｆｓｗを設定する。即ち、キャリア周波数ｆｓｗは、充放電コンデンサＣ０の並列共振周波数ｆｐ２の１／５より低く、かつ、その奇数倍が並列共振周波数ｆｐ２に一致しないように設定される。なお、設定させたキャリア周波数ｆｓｗは記憶器４５ｂに記憶される。
【００７０】
充放電コンデンサＣ０のＥＳＲのｎ次の高調波成分をＲｃ０−ｎとすると、充放電コンデンサＣ０の１次からｎ次（ｎは奇数）までの奇数次の高調波成分の合計損失Ｐｃ０−ｎは式（２０）で表わされる。
【００７１】
【数９】
2017018038.tif 000011
【００７２】
キャリア周波数ｆｓｗの奇数倍が充放電コンデンサＣ０の並列共振周波数ｆｐ２に一致しないように設定されている為、充放電コンデンサＣ０に流れる電流Ｉｃ０（ｒｍｓ）の高調波成分の周波数が並列共振周波数ｆｐ２と重ならず、充放電コンデンサＣ０のＥＳＲの各高調波成分が極大値になることを回避できる。
さらに、キャリア周波数ｆｓｗを（ｆｐ２／５）未満の値とすることにより、充放電コンデンサＣ０に流れる電流Ｉｃ２（ｒｍｓ）において支配的である基本波成分、３次、５次の高調波成分の各ＥＳＲである（Ｒｃ０−１）、（Ｒｃ０−３）、（Ｒｃ２−５）が極大値となることを確実に回避し、極大値未満の比較的小さい値とすることができる。
このため、上記式（２０）で表わされる充放電コンデンサＣ０の損失を抑制することができる。
【００７３】
以上のように、この実施の形態２による電力変換装置５ａでは、スイッチング素子Ｓ１〜Ｓ４を駆動するキャリア周波数（スイッチング周波数）ｆｓｗを、低圧側コンデンサＣ１、高圧側コンデンサＣ２、充放電コンデンサＣ０内の全てのコンデンサ素子である第１〜第６コンデンサ素子の直列共振周波数ｆｓ１〜ｆｓ６未満で、しかも、充放電コンデンサＣ０の並列共振周波数ｆｐ２の１／５未満であって、キャリア周波数ｆｓｗの奇数倍が並列共振周波数ｆｐ２に一致しないように設定する。
このため、充放電コンデンサＣ０の並列共振により増大するＥＳＲと高調波電流とによる損失を抑制して、スイッチング素子Ｓ１〜Ｓ４の制御により発生する充放電コンデンサＣ０の損失を低減できる。
また、充放電コンデンサＣ０は、低圧側コンデンサＣ１、高圧側コンデンサＣ２より流れる電流が多く、損失低減の効果が大きい。
【００７４】
また、キャリア周波数ｆｓｗを上記のように設定することで、充放電コンデンサＣ０の並列共振に起因する損失を低減することができ、電力変換装置５ａの電力変換効率を向上できると共に、充放電コンデンサＣ０の温度上昇を抑制でき信頼性も向上する。また、充放電コンデンサＣ０の容量増大や、冷却構造の拡充を要さずに、充放電コンデンサＣ０の損失低減および温度上昇の抑制の効果が得られる為、装置構成の小型化、低コスト化を実現することが可能になる。
【００７５】
なお、上記実施の形態では、充放電コンデンサＣ０の並列共振周波数ｆｐ２の１／５未満にキャリア周波数ｆｓｗを設定したが、充放電コンデンサＣ０に流れる電流の電流累積率が、基本波成分から次数Ｎまでの高調波成分で飽和状態となる次数Ｎで並列共振周波数ｆｐ２を除した値（ｆｐ２／Ｎ）より低く設定するものであれば良い。
また、並列共振周波数ｆｐ２を除する次数は、飽和状態となる次数より低い次数としても良く、その場合も、キャリア周波数ｆｓｗは、第１〜第６コンデンサ素子の直列共振周波数ｆｓ１〜ｆｓ４未満で、その奇数倍が並列共振周波数ｆｐ２に一致しないように設定されているため、並列共振に起因する充放電コンデンサＣ０の損失低減の効果が得られる。
【００７６】
さらに、高圧側コンデンサＣ２、低圧側コンデンサＣ１、充放電コンデンサＣ０は、それぞれの２つのコンデンサ素子を並列接続したものとしたが、３個以上のコンデンサ素子を並列接続しても良く、コンデンサ素子の並列数が異なるものでも良い。
充放電コンデンサＣ０が３個以上のコンデンサ素子を並列接続する場合、並列共振周波数が２個以上発生する場合があるが、スイッチング素子Ｓ１〜Ｓ４の制御に用いるキャリア周波数は、最も低い並列共振周波数の１／５未満の値とする。
【００７７】
また、上記実施の形態２では、電力変換装置５ａは双方向の電力変換が可能な双方向型のＭＬＣ回路としたが、例えば第３、第４半導体素子にスイッチング素子Ｓ３、Ｓ４の代わりにダイオードを用いて、低圧側から高圧側への一方向の電力変換を行うものとしても良く、キャリア周波数ｆｓｗを同様に設定することで、同様の効果が得られる。
【００７８】
実施の形態３．
次に、この発明の実施の形態３による電力変換装置を図に基づいて以下に説明する。
図２１は、この発明の実施の形態３による電力変換装置５ｂの回路構成を示す図である。図２１に示すように、電力変換装置５ｂは、上記実施の形態１の図１で示した電力変換装置５に、高圧側コンデンサＣ２の温度を検出するサーミスタ９を設ける。また制御回路４ｂは、電流センサ６の検出値（ＩＬ）、電圧センサ７の検出値（Ｖ２）およびサーミスタ９の検出値（ＴＣ２）に応じて、各スイッチング素子Ｓ１、Ｓ２のゲート信号Ｇ１、Ｇ２を生成し、各スイッチング素子Ｓ１、Ｓ２をＯＮ／ＯＦＦ動作させる。
その他の構成は実施の形態１と同様であるため、説明を省略する。
【００７９】
制御回路４ｂは、上記実施の形態１の図４で示した同様の構成であるが、この場合、制御回路４ｂ内の第１制御ブロック４５０が、上記実施の形態１の第１制御ブロック４５と異なり、その詳細を図２２に示す。
図２２に示すように、第１制御ブロック４５０は、上記実施の形態１の図５で示した第１制御ブロック４５に、温度保護制御器４５ｉが追加されている。また、記憶器４５ｂには、通常運転時に用いる設定周波数としてのキャリア周波数ｆｓｗ１（以下、通常周波数と称す）と、温度保護運転時のキャリア周波数ｆｓｗ２（以下、保護周波数と称す）と、高圧側コンデンサＣ２を保護するための温度閾値（Ｔｔｈ１）を記憶している。
なお、通常周波数ｆｓｗ１は、上記実施の形態１で用いたキャリア周波数ｆｓｗと同様に設定される。また、ｆｓｗ１＞ｆｓｗ２の関係であり、例えば、ｆｓｗ２＝ｆｓｗ１／２とする。
【００８０】
第１制御ブロック４５０は、ＰＷＭ信号（ゲート信号Ｇ１、Ｇ２）を生成するためのブロックである。
温度保護制御器４５ｉは、サーミスタ９で検出された高圧側コンデンサＣ２の温度ＴＣ２と、記憶器４５ｂから参照した温度閾値Ｔｔｈ１とを比較し、ＴＣ２≧Ｔｔｈ１の場合に温度上昇の検出信号を出力する。周波数指令器４５ｃは、温度保護制御器４５ｉからの出力に基づいて、記憶器４５ｂに記憶された通常周波数ｆｓｗ１あるいは保護周波数ｆｓｗ２を参照し、キャリア信号発生器４５ｄに対し周波数ｆｓｗ１（あるいはｆｓｗ２）でのキャリア信号の生成を指示する。キャリア信号発生器４５ｄは、通常運転時には通常周波数ｆｓｗ１を用い、ＴＣ２≧Ｔｔｈ１の場合には保護周波数ｆｓｗ２を用いて、キャリア信号である第１三角波ＳＷ１を生成する。比較器４５ａには、リミッタ４４を介して出力されたデューティ比Ｄと第１三角波ＳＷ１とが入力され、両者を比較することによりスイッチング素子Ｓ１のゲート信号Ｇ１が生成される。また、インバータ４５ｅは、ゲート信号Ｇ１を反転してスイッチング素子Ｓ２のゲート信号Ｇ２を出力する。
【００８１】
この実施の形態では、高圧側コンデンサＣ２の温度ＴＣ２が上昇して温度閾値Ｔｔｈ１以上になると、通常周波数ｆｓｗ１よりも低い保護周波数ｆｓｗ２に切り替える。これにより高圧側コンデンサＣ２に流れる電流の実効値Ｉｃ２（ｒｍｓ）において支配的である１次（基本波成分）から５次までの高調波成分のＥＳＲを、通常運転時よりも低減することができる。このため、上記式（１２）で表わされる高圧側コンデンサＣ２の損失をさらに抑制することができる。なお、ＴＣ２＜Ｔｔｈ１となった場合、温度保護制御器４５ｉの出力が元の状態に戻り、キャリア信号発生器４５ｄは、通常運転時の通常周波数ｆｓｗ１を用いて第１三角波ＳＷ１を生成する。
【００８２】
この実施の形態３では、上記実施の形態１と同様の効果が得られると共に、高圧側コンデンサＣ２の実際の温度を検出して、スイッチングの周波数を切り替えている為、高圧側コンデンサＣ２の温度上昇を確実に抑制できる。また、温度上昇が検出されると、通常周波数ｆｓｗ１よりも低い保護周波数ｆｓｗ２に切り替えるため、高圧側コンデンサＣ２の並列共振に起因して増大するＥＳＲと高調波電流とによる損失をさらに抑制することができる。
なお、保護周波数ｆｓｗ２を、その整数倍が高圧側コンデンサＣ２の並列共振周波数ｆｐ１に一致しないように設定すると、並列共振に起因して増大する高圧側コンデンサＣ２の損失低減の効果がさらに確実に得られる。
【００８３】
また、この実施の形態では、上記実施の形態１で示したＳＰＣ回路に適用したが、上記実施の形態２によるＭＬＣ回路にも同様に適用できる。その場合、サーミスタを充放電コンデンサＣ０に付加し、検出した充放電コンデンサＣ０の温度と温度閾値とを比較し、該比較結果を基にスイッチング素子Ｓ１〜Ｓ４を制御するキャリア周波数を切り替える。これにより、充放電コンデンサＣ０の並列共振に起因して増大するＥＳＲと高調波電流とによる損失をさらに低減することができる。
【００８４】
実施の形態４．
次に、この発明の実施の形態４による電力変換装置を図に基づいて以下に説明する。
図２３は、この発明の実施の形態４による電力変換装置５ｃの回路構成を示す図である。図２３に示すように、電力変換装置５ｃは、上記実施の形態１の図１で示した電力変換装置５に、高圧側コンデンサＣ２の温度を検出するサーミスタ９と、スイッチング素子Ｓ１の温度を検出するためのサーミスタ１２と、スイッチング素子Ｓ２の温度を検出するためのサーミスタ１３を設ける。また制御回路４ｃは、電流センサ６の検出値（ＩＬ）、電圧センサ７の検出値（Ｖ２）および各サーミスタ９、１２、１３の検出値（ＴＣ２、ＴＳ１、ＴＳ２）に応じて、各スイッチング素子Ｓ１、Ｓ２のゲート信号Ｇ１、Ｇ２を生成し、各スイッチング素子Ｓ１、Ｓ２をＯＮ／ＯＦＦ動作させる。
その他の構成は実施の形態１と同様であるため、説明を省略する。
【００８５】
制御回路４ｃは、上記実施の形態１の図４で示した同様の構成であるが、この場合、制御回路４ｃ内の第１制御ブロック４５０ａが、上記実施の形態１の第１制御ブロック４５と異なり、その詳細を図２４に示す。
図２４に示すように、第１制御ブロック４５０ａは、上記実施の形態１の図５で示した第１制御ブロック４５に温度保護制御器４５ｉが追加されている。また、記憶器４５ｂには、設定周波数として２つのキャリア周波数ｆｓｗ１、ｆｓｗ３と、高圧側コンデンサＣ２を保護するための温度閾値である第１閾値（Ｔｔｈ１）と、スイッチング素子Ｓ１、Ｓ２を保護するための温度閾値である第２閾値（Ｔｔｈ２）を記憶している。なお、通常運電時の第１周波数となるキャリア周波数ｆｓｗ１（以下、通常周波数と称す）と、後述する低リプル運電時の第２周波数となるキャリア周波数ｆｓｗ３（以下、低リプル周波数と称す）とは、ｆｓｗ１＜ｆｓｗ３、の関係を満たす。
【００８６】
なお、通常周波数ｆｓｗ１および低リプル周波数ｆｓｗ３は、上記実施の形態１で用いたキャリア周波数ｆｓｗと同様に設定される。即ち、通常周波数ｆｓｗ１および低リプル周波数ｆｓｗ３は、低圧側コンデンサＣ１および高圧側コンデンサＣ２内の全てのコンデンサ素子である第１〜第４コンデンサ素子の直列共振周波数ｆｓ１〜ｆｓ４未満で、しかも、高圧側コンデンサＣ２の並列共振周波数ｆｐ１の１／５未満であって、キャリア周波数ｆｓｗ１、ｆｓｗ３の整数倍（奇数倍および偶数倍）が並列共振周波数ｆｐ１に一致しないように設定される。
【００８７】
第１制御ブロック４５０ａは、ＰＷＭ信号（ゲート信号Ｇ１、Ｇ２）を生成するためのブロックである。
温度保護制御器４５ｉには、サーミスタ９、１２、１３で検出された高圧側コンデンサＣ２の温度ＴＣ２およびスイッチング素子Ｓ１、Ｓ２の温度ＴＳ１、ＴＳ２が入力される。そして、温度保護制御器４５ｉは、高圧側コンデンサＣ２の温度ＴＣ２と記憶器４５ｂから参照した第１閾値Ｔｔｈ１とを比較し、また各スイッチング素子Ｓ１、Ｓ２の温度ＴＳ１、ＴＳ２と記憶器４５ｂから参照した第２閾値Ｔｔｈ２とをそれぞれ比較する。ＴＣ２＜Ｔｔｈ１、ＴＳ１＜Ｔｔｈ２、ＴＳ２＜Ｔｔｈ２、の全条件を満たす場合に、記憶器４５ｂに記憶された低リプル周波数ｆｓｗ３を参照するように周波数指令器４５ｃに指示する。周波数指令器４５ｃは、温度保護制御器４５ｉからの出力に基づいて、記憶器４５ｂに記憶された通常周波数ｆｓｗ１あるいは低リプル周波数ｆｓｗ３を参照し、キャリア信号発生器４５ｄに対し周波数ｆｓｗ１（あるいはｆｓｗ３）でのキャリア信号の生成を指示する。
【００８８】
キャリア信号発生器４５ｄは、ＴＣ２≧Ｔｔｈ１、またはＴＳ１≧Ｔｔｈ２、またはＴＳ２≧Ｔｔｈ２、の場合には通常周波数ｆｓｗ１を用い、ＴＣ２＜Ｔｔｈ１、かつＴＳ１＜Ｔｔｈ２、かつＴＳ２＜Ｔｔｈ２、の場合には低リプル周波数ｆｓｗ３を用いて、キャリア信号である第１三角波ＳＷ１を生成する。比較器４５ａには、リミッタ４４を介して出力されたデューティ比Ｄと第１三角波ＳＷ１とが入力され、両者を比較することによりスイッチング素子Ｓ１のゲート信号Ｇ１が生成される。また、インバータ４５ｅは、ゲート信号Ｇ１を反転してスイッチング素子Ｓ２のゲート信号Ｇ２を出力する。
【００８９】
ここで、低圧側コンデンサＣ１に流れる電流の実効値Ｉｃ１（ｒｍｓ）は、スイッチング周期Ｔｓｗ、スイッチング素子Ｓ１のオン時間Ｔｏｎおよびリアクトル１を流れる電流のリプル成分ΔＩＬを用いて、式（２１）で表わされる。
【００９０】
【数１０】
2017018038.tif 000012
【００９１】
また、低圧側コンデンサＣ１に流れる電流Ｉｃ１には奇数次の高調波成分が含まれる。低圧側コンデンサＣ１のＥＳＲのｎ次の高調波成分をＲｃ１−ｎ、低圧側コンデンサＣ１に流れる電流のｎ次の高調波成分をＩｃ１（ｒｍｓ）−ｎとすると、低圧側コンデンサＣ１の１次（基本波成分）からｎ次までの高調波成分までの合計損失Ｐｃ１−ｎは式（２２）で表わされる。なお、ｎを奇数とする。
【００９２】
【数１１】
2017018038.tif 000013
【００９３】
さらに、リアクトル１を流れる電流の実効値ＩＬ（ｒｍｓ）は、リアクトル１を流れる直流電流Ｉ１およびリアクトル１を流れる電流のリプル成分ΔＩＬを用いて、式（２３）で表わされる。
【００９４】
【数１２】
2017018038.tif 000014
【００９５】
そして、リアクトル１の直流抵抗をＲＬ−０、リアクトル１を流れる直流電流をＩ１、リアクトル１のＥＳＲのｎ次の高調波成分をＲＬ−ｎ、リアクトル１に流れる電流のｎ次の高調波成分をＩＬ（ｒｍｓ）−ｎとすると、リアクトル１の１次（基本波成分）からｎ次までの高調波成分の合計銅損ＰＬ−ｎは式（２４）で表わされる。なお、ｎを奇数とする。
【００９６】
【数１３】
2017018038.tif 000015
【００９７】
この実施の形態では、高圧側コンデンサＣ２の温度ＴＣ２およびスイッチング素子Ｓ１、Ｓ２の温度ＴＳ１、ＴＳ２が全て設定された閾値未満の時、即ち、ＴＣ２＜Ｔｔｈ１、かつＴＳ１＜Ｔｔｈ２、かつＴＳ２＜Ｔｔｈ２、の場合に、通常周波数ｆｓｗ１よりも高い低リプル周波数ｆｓｗ３に切り替える。
これにより、上記式（１０）で表わされるリアクトル１を流れる電流のリプル成分ΔＩＬを小さくする低リプル運転が可能になる。さらに、上記式（１２）で表わされる高圧側コンデンサＣ２の損失、上記式（２２）で表わされる低圧側コンデンサＣ１の損失、式（２４）で表わされるリアクトル１の銅損を、各抵抗値Ｒｃ１−ｎ、Ｒｃ２−ｎ、ＲＬ−ｎの値によっては、さらに低減することができる。
【００９８】
以上のように、この実施の形態では、上記実施の形態１と同様の効果が得られると共に、リアクトル１を流れる電流のリプル成分を小さくすることができる。また、リアクトル１のＥＳＲの高調波成分、低圧側コンデンサＣ１のＥＳＲの高調波成分、高圧側コンデンサＣ２のＥＳＲの高調波成分の値によっては、さらにリアクトル１、低圧側コンデンサＣ１、高圧側コンデンサＣ２の損失を低減することができる。そして、リアクトル１を流れる電流のリプル成分が小さくなることにより、スイッチング素子Ｓ１〜Ｓ４の損失を低減することができる。これらにより、電力変換装置の５ｃの損失低減および小型化がさらに図れる。
【００９９】
なお、この実施の形態では、上記実施の形態１で示したＳＰＣ回路に適用したが、上記実施の形態２によるＭＬＣ回路にも同様に適用できる。その場合、サーミスタを充放電コンデンサＣ０および各スイッチング素子Ｓ１〜Ｓ４に付加し、各検出温度とそれぞれの温度閾値とを比較し、該比較結果を基にスイッチング素子Ｓ１〜Ｓ４を制御するキャリア周波数を切り替える。これにより、上記実施の形態２によるＭＬＣ回路においても、リアクトル１を流れる電流のリプル成分を小さくすることができる。また、リアクトル１のＥＳＲの高調波成分、低圧側コンデンサＣ１のＥＳＲの高調波成分、高圧側コンデンサＣ２のＥＳＲの高調波成分の値によっては、さらにリアクトル１、低圧側コンデンサＣ１、高圧側コンデンサＣ２の損失を低減することができる。そして、リアクトル１を流れる電流のリプル成分が小さくなることにより、スイッチング素子Ｓ１〜Ｓ４の損失を低減することができる。
【０１００】
また、上記実施の形態３、４において、温度検出にサーミスタ９、１２、１３を用いたが、熱電対やダイオードを利用した温度検出等、他の温度検出手段を適用してもよい。
さらに、上記実施の形態３、４では、高圧側コンデンサＣ２の温度によるキャリア周波数の切り替えを示したが、高圧側コンデンサＣ２を形成するコンデンサ素子やバスバーの温度によりキャリア周波数を切り替えてもよいことは言うまでもない。
【０１０１】
なお、上記各実施の形態では、各スイッチング素子をダイオードが逆並列接続されたＩＧＢＴにより構成した例として説明したが、ＩＧＢＴの代わりにＭＯＳＦＥＴやＪＦＥＴ等としてもよい。ＭＯＳＦＥＴを用いる場合は、ダイオードの代わりにＭＯＳＦＥＴのボディダイオードを利用してもよい。また、スイッチング素子を含む各半導体素子は、シリコンに比べてバンドギャップが大きいワイドバンドギャップ半導体、例えば、炭化シリコン（ＳｉＣ）、窒化ガリウム系材料又はダイヤモンドによって形成してもよい。
【０１０２】
また、この発明は、発明の範囲内において、各実施の形態を自由に組み合わせたり、適宜、変形、省略することが可能である。
【図１】
2017018038.tif 000016
【図２】
2017018038.tif 000017
【図３】
2017018038.tif 000018
【図４】
2017018038.tif 000019
【図５】
2017018038.tif 000020
【図６】
2017018038.tif 000021
【図７】
2017018038.tif 000022
【図８】
2017018038.tif 000023
【図９】
2017018038.tif 000024
【図１０】
2017018038.tif 000025
【図１１】
2017018038.tif 000026
【図１２】
2017018038.tif 000027
【図１３】
2017018038.tif 000028
【図１４】
2017018038.tif 000029
【図１５】
2017018038.tif 000030
【図１６】
2017018038.tif 000031
【図１７】
2017018038.tif 000032
【図１８】
2017018038.tif 000033
【図１９】
2017018038.tif 000034
【図２０】
2017018038.tif 000035
【図２１】
2017018038.tif 000036
【図２２】
2017018038.tif 000037
【図２３】
2017018038.tif 000038
【図２４】
2017018038.tif 000039
【国際調査報告】
2017018038.tif 000040
2017018038.tif 000041
2017018038.tif 000042
2017018038.tif 000043